(57)【要約】【課題】水底における重力測定を無人無索で安定して実行可能な重力測定装置を提供することである。【解決手段】水中を自律航行およびホバリング可能であり、水底に着底して重力を測定する重力測定装置であって、重力を測定する重力測定部と、前記重力測定装置が水中移動可能なように推進力を発生する推進力発生部と、水底にレーザ光を照射するレーザと、前記レーザによりレーザ光を照射した水底を撮影するカメラと、前記カメラにより撮影した画像に基づいて三次元の水底形状を取得する水底形状取得部と、前記水底形状取得部により取得した水底形状に基づいて前記重力測定装置の着底目標位置を決定する着底位置決定部と、前記着底位置決定部により決定した着底目標位置に到達するよう前記推進力発生部を制御し、前記重力測定装置を該着底目標位置に着底させる着底制御部と、前記重力測定装置の姿勢の変動を検出する姿勢センサと、を備えた、ことを特徴とする。【選択図】図１
2018036055.tif 000002
【特許請求の範囲】
【請求項１】
水中を自律航行およびホバリング可能であり、水底に着底して重力を測定する重力測定装置であって、
重力を測定する重力測定部と、
前記重力測定装置が水中移動可能なように推進力を発生する推進力発生部と、
水底にレーザ光を照射するレーザと、
前記レーザによりレーザ光を照射した水底を撮影するカメラと、
前記カメラにより撮影した画像に基づいて三次元の水底形状を取得する水底形状取得部と、
前記水底形状取得部により取得した水底形状に基づいて前記重力測定装置の着底目標位置を決定する着底位置決定部と、
前記着底位置決定部により決定した着底目標位置に到達するよう前記推進力発生部を制御し、前記重力測定装置を該着底目標位置に着底させる着底制御部と、
前記重力測定装置の姿勢の変動を検出する姿勢センサと、
を備えた、
ことを特徴とする重力測定装置。
【請求項２】
水中を自律航行およびホバリング可能であり、水底に着底して重力を測定する重力測定装置であって、
重力を測定する重力測定部と、
前記重力測定装置が水中移動可能なように推進力を発生する推進力発生部と、
水底地形を計測するソーナーと、
前記ソーナーによる計測結果に基づいて三次元の水底形状を取得する水底形状取得部と、
前記水底形状取得部により取得した水底形状に基づいて前記重力測定装置の着底目標位置を決定する着底位置決定部と、
前記着底位置決定部により決定した着底目標位置に到達するよう前記推進力発生部を制御し、前記重力測定装置を該着底目標位置に着底させる着底制御部と、
前記重力測定装置の姿勢の変動を検出する姿勢センサと、
を備えた、
ことを特徴とする重力測定装置。
【請求項３】
請求項１または２に記載の重力測定装置において、
前記着底位置決定部は、前記重力測定装置が着底した状態で、前記姿勢センサにより検出した姿勢に変動がある場合、着底目標位置を変更し、新たな着底目標位置を決定する、
ことを特徴とする重力測定装置。
【発明の詳細な説明】
【技術分野】
【０００１】
本発明は、重力測定装置に関し、詳しくは、例えば海底において重力を測定する重力測定装置に関する。
【背景技術】
【０００２】
重力は、測定地点から地球の中心までの距離や地下の密度構造などに応じて、その大きさがわずかながら異なることが知られている。これを利用し、重力を測定することによって地下密度構造を調査することが知られている。
【０００３】
特許文献１に記載の発明では、ヘリコプターのような航行体に重力計を搭載し、航行体によって飛行しながら重力を測定する重力測定装置を開示している。
【先行技術文献】
【特許文献】
【０００４】
【特許文献１】特開２００２−４０１５５号公報
【発明の概要】
【発明が解決しようとする課題】
【０００５】
特許文献１に記載の重力測定装置では、ＤＧＰＳによって現在位置を測定し、飛行しながら重力測定を行うことを可能としている。しかしながら、この重力測定装置では、重力計を搭載した航行体によって飛行するものであるため、例えば海底や湖底や川底といった水底における重力測定には適さないという問題があった。
【０００６】
例えば海底において重力を測定することにより、海底の地下の鉱床などを高い精度で探査することができ、海底資源の発見に寄与することができるため、海底における重力測定が重要であると考えられる。
【０００７】
本発明は、水底における重力測定を無人無索で安定して実行可能な重力測定装置を提供することを目的とする。
【課題を解決するための手段】
【０００８】
本発明は上記の目的を達成するために、水中を自律航行およびホバリング可能であり、水底に着底して重力を測定する重力測定装置であって、重力を測定する重力測定部と、前記重力測定装置が水中移動可能なように推進力を発生する推進力発生部と、水底にレーザ光を照射するレーザと、前記レーザによりレーザ光を照射した水底を撮影するカメラと、前記カメラにより撮影した画像に基づいて三次元の水底形状を取得する水底形状取得部と、前記水底形状取得部により取得した水底形状に基づいて前記重力測定装置の着底目標位置を決定する着底位置決定部と、前記着底位置決定部により決定した着底目標位置に到達するよう前記推進力発生部を制御し、前記重力測定装置を該着底目標位置に着底させる着底制御部と、前記重力測定装置の姿勢の変動を検出する姿勢センサと、を備えた、ことを特徴とする。
【０００９】
また本発明は、水中を自律航行およびホバリング可能であり、水底に着底して重力を測定する重力測定装置であって、重力を測定する重力測定部と、前記重力測定装置が水中移動可能なように推進力を発生する推進力発生部と、水底地形を計測するソーナーと、前記ソーナーによる計測結果に基づいて三次元の水底形状を取得する水底形状取得部と、前記水底形状取得部により取得した水底形状に基づいて前記重力測定装置の着底目標位置を決定する着底位置決定部と、前記着底位置決定部により決定した着底目標位置に到達するよう前記推進力発生部を制御し、前記重力測定装置を該着底目標位置に着底させる着底制御部と、前記重力測定装置の姿勢の変動を検出する姿勢センサと、を備えた、ことを特徴とする。
【発明の効果】
【００１０】
本発明によれば、水底における重力測定を無人無索で安定して実行可能な重力測定装置を提供することができる。
【図面の簡単な説明】
【００１１】
【図１】本発明の一実施形態に係る重力測定装置の左側面図である。
【図２】図１に示した重力測定装置の正面図である。
【図３】図１に示した重力測定装置の底面図である。
【図４】図１に示した重力測定装置の概略ブロック図である。
【図５】図１に示した重力測定装置の動作の一例を示すフローチャートである。
【図６】図１に示した重力測定装置の動作の一例を説明する図である。
【発明を実施するための形態】
【００１２】
以下、本発明の実施形態について、図面を参照しながら詳細に説明する。
【００１３】
図１は、本発明の一実施形態に係る重力測定装置の左側面図であり、図２は、図１に示した重力測定装置の正面図であり、図３は、図１に示した重力測定装置の底面図である。
【００１４】
本実施形態の重力測定装置１００は、主に、各種制御基板等を収容したメイン容器６と、重力測定装置１００を動作させる電源であるバッテリ１１５（図４参照）を収容したバッテリ容器７と、重力測定を行う重力計１１１（図４参照）を収容した球形容器１０と、を有して構成される。重力測定装置１００は、詳しくは後述するが水中を航行可能に構成され、水底に着底して重力計１１１により重力測定を行う。なお、重力測定装置１００は、海底、湖底、川底などの水底に着底して重力を測定可能であるが、以下では、海底に着底する場合の例について説明を行う。メイン容器６、バッテリ容器７および球形容器１０は内部に海水が進入しないように防水加工がされ、また、水圧に耐えられるよう耐圧加工がされている。
【００１５】
重力計１１１は、球形容器１０に収容され、例えば、不図示のジンバル機構によって水平が保持されるように構成されている。重力計１１１の水平が保持されることで、重力計１１１が測定する重力が鉛直方向の重力であることが担保される。なお、重力計１１１はジンバル機構に支持されているが、完全に水平が維持できない場合やその他の外因がある場合には、重力計１１１による測定結果をそれに応じて補正する構成としてもよい。
【００１６】
重力計１１１を収容した球形容器１０は、荷受け台であるスキッド１１に固定され、重力測定装置１００の下部中央に設けられる。また、重力測定装置１００の下部には、バラストリリーサ１１０、ドップラ式対地速度計１２、ＣＴＤ１５、を設けている。なお、ＣＴＤ１５は、周囲の海水の電気伝導度（Ｃｏｎｄｕｃｔｉｖｉｔｙ）（＝塩分）、温度（Ｔｅｍｐｅｒａｔｕｒｅ）、深度（Ｄｅｐｔｈ）を測る装置であり、このＣＴＤ１５で測定したＣＴＤデータから、海水の密度と正確な深度を計算で求めることができる。このＣＴＤデータを用いることで、重力計１１１で測定した重力の補正を精密に行うことができる。このＣＴＤデータは例えば測定時刻とともにＣＴＤ１５の内部に保存される。
【００１７】
重力測定装置１００の上部には、無線ＬＡＮアンテナ１を設けており、この無線ＬＡＮアンテナ１を介し、メイン容器６内の無線ＬＡＮ通信装置１０３（図４参照）によって外部と無線ＬＡＮによるデータ通信を実行可能である。
【００１８】
また、重力測定装置１００の上部には、無線ＬＡＮアンテナ１と隣接してＧＰＳアンテナ２を設けており、このＧＰＳアンテナ２を介してメイン容器６内のＧＰＳ装置１０５（図４参照）が、不図示のＧＰＳ衛星からのＧＰＳ信号を受信することにより、水面での重力測定装置１００の位置を特定可能にしている。
【００１９】
さらに、重力測定装置１００の上部中央には、音響によりデータ通信を可能とするメイン容器６内の音響測位通信装置１０４（図４参照）で用いる一本の送信アンテナ３および４本の受信アンテナ４を設けている。重力測定装置１００が海上にある場合には、無線ＬＡＮ通信装置１０３によって、例えば海上の船などの外部と通信が可能である。しかし、重力測定装置１００が海中に潜ると、無線ＬＡＮ通信装置１０３による通信は困難になる。そこで本実施形態では、重力測定装置１００に音響測位通信装置１０４を設け、これにより海中の重力測定装置１００と例えば海上の船などの外部とで通信可能にしている。
【００２０】
重力測定装置１００は、重力測定装置１００が海中で移動可能なように推進力を発生させるスラスタ１０８（図４参照）を設けている。本実施形態のスラスタ１０８は、プロペラ状の部材であって、前後方向の推進力を発生させる二つのサージスラスタ５ａと、左右方向の推進力を発生させる一つのスウェイスラスタ５ｂと、上下方向の推進力を発生させる二つのヒーブスラスタ５ｃと、を有する。これら二つのサージスラスタ５ａ、一つのスウェイスラスタ５ｂおよび二つのヒーブスラスタ５ｃのプロペラの回転開始、回転停止、回転方向および回転速度を切り替えることによって、重力測定装置１００を自在に移動させることが可能である。
【００２１】
重力測定装置１００においてメイン容器６の周囲には浮力材１３を設けている。また、重力測定装置１００には不図示のバラスト（浮力のバランスを取るための重り）を設けており、スラスタ１０８をすべて停止させた場合には、重力測定装置１００は着底した状態となる。また、バラストリリーサ１１０（図４参照）によってバラストをリリース（投棄）すると、重力測定装置１００は浮力材１３の浮力によって海面に浮き上がる。
【００２２】
重力測定装置１００のバッテリ容器７の下部には、海底にレーザ光を照射可能なレーザ８を設けており、重力測定装置１００の底面には、レーザ８でレーザ光を照射した海底を撮影可能なカメラ１４を設けている。レーザ８からは線状のレーザ光を海底に照射し、その画像をカメラ１４で撮影し、例えば光切断法により、海底の三次元形状を取得することができる。本実施形態では光切断法によって海底の三次元形状を取得するようにしているが本発明はこれに限られるものではなく、既知の如何なる手法を用いるものであってもよい。
【００２３】
図４は、図１に示した重力測定装置の概略ブロック図である。
【００２４】
図４の制御装置１０１は、例えば、ＣＰＵ、ＭＰＵと呼ばれる演算装置から成り、メイン容器６に収容される。重力測定装置１００の動作制御は、この制御装置１０１によって行われる。記憶装置１０２は、ＲＡＭ、ＲＯＭといった記憶装置であり、不揮発性記憶装置を含み、重力測定装置１００を動作させるために制御装置１０１で実行するプログラムや、各種データを記憶する。記憶装置１０２には、ＧＰＳ装置１０５によって取得した時刻や位置に対応づけて各種測定データを記憶しておくものであってもよい。また、制御装置１０１は、不図示の時計を有するものであってもよく、海中のためＧＰＳ装置１０５によって時刻が得られない場合には、この制御装置１０１の時計によって取得した時刻に対応づけて各種測定データを記憶装置１０２に記憶しておくものであってもよい。また、不図示のステーションを海底に予め設置しておくことにより、音響測位通信装置１０４を用いて、そのステーションに対する重力測定装置１００の相対位置を取得することができる。海中のためＧＰＳ装置１０５によって位置が得られない場合には、この音響測位通信装置１０４によって得た相対位置を、時刻や各種測定データに対応づけて記憶装置１０２に記憶しておくものであってもよい。
【００２５】
制御装置１０１は、記憶装置１０２に予め記憶されたプログラムにより動作し、重力測定装置１００の各部の制御を行う。また、制御装置１０１は、無線ＬＡＮ通信装置１０３や音響測位通信装置１０４を介して得た動作指示により遠隔操作により、重力測定装置１００の各部の制御を行うこともできる。
【００２６】
カメラ１０６は、図３に示したカメラ１４を含み、不図示の他のカメラ（例えば、海底を撮影する他のカメラ、重力測定装置１００の周囲を撮影する他のカメラ）を含むものであってもよい。カメラ１０６は、制御装置１０１からの指示で撮影を行い、撮影した画像（あるいは映像）を制御装置１０１に送り、これを受けた制御装置１０１は記憶装置１０２に記憶する。
【００２７】
レーザ１０７は、図１に示したレーザ８を含み、不図示の他のレーザ（例えば、レーザ８とは異なるレーザ）を含むものであってもよい。レーザ１０７は、制御装置１０１からの指示でレーザ光の照射を行う。
【００２８】
カメラ１０６およびレーザ１０７は、代わりに不図示のソーナーであってもよい。
【００２９】
スラスタ１０８は、制御装置１０１からの指示でプロペラの回転開始、回転停止、回転方向、回転速度の切り替えを行う。なお、本実施形態では、サージスラスタ５ａ、スウェイスラスタ５ｂ、ヒーブスラスタ５ｃのそれぞれの向きは固定であるが、制御装置１０１からの指示で任意の向きに変えることができるようにしてもよい。
【００３０】
センサ１０９は、対地速度を計測するドップラ式対地速度計（Ｄｏｐｐｌｅｒ  Ｖｅｌｏｃｉｔｙ  Ｌｏｇ，  ＤＶＬ）１２、方位角速度を計る光ファイバジャイロ（Ｆｉｂｅｒ  Ｏｐｔｉｃ  Ｇｙｒｏ，  ＦＯＧ）（不図示）、水深を測る圧力計（不図示）、流速計（不図示）、姿勢センサ（不図示）等を含み、制御装置１０１からの指示で動作し、計測結果、検知結果を制御装置１０１に送信する。なお、姿勢センサおよびＤＶＬには磁気コンパスを付属している。また、光ファイバジャイロと姿勢センサを慣性航法装置（Ｉｎｅｒｔｉａｌ  Ｎａｖｉｇａｔｉｏｎ  Ｓｙｓｔｅｍ，ＩＮＳ）に換装することで、より高精度の位置・姿勢データを得ることができる。また、センサ１０９としては、この他、障害物探知用にスキャニングソーナー（不図示）を搭載し、さらに、実海域での運用時には、安全対策としてフラッシャ（不図示）とトランスポンダ（不図示）を装備する。
【００３１】
バラストリリーサ１１０は、制御装置１０１からの指示で上述のバラストをリリース（投棄）する。
【００３２】
重力計１１１は、常に重力を測定し、測定結果を記憶装置１１２に送信する。なお、記憶装置１１２は、制御装置１０１からの指示で、重力の測定結果の記憶を開始し、測定結果の記憶を停止するものであってもよいし、記憶装置１１２に予め記憶してあるプログラムに応じて重力の測定結果の記憶を行うものであってもよいし、測定結果を制御装置１０１に送信するものであってもよいし、測定時のエラーやその他の動作状況を制御装置１０１に送信するものであってもよい。記憶装置１１２は、例えばデータロガーと呼ばれる装置である。
【００３３】
バッテリ１１５は、重力測定装置１００の各構成に電源を供給する。ただし、重力計１１１と記憶装置１１２には常時通電が必要（例えば、重力計１１１は周辺温度を一定に保った環境で測定する必要があり、重力計１１１を収容する恒温槽のために常時通電が必要である。）なため専用のバッテリ１１３から電源を供給する。重力計１１１と記憶装置１１２とバッテリ１１３とで重力測定部１１４を構成する。
【００３４】
図５は、図１に示した重力測定装置の動作の一例を示すフローチャートである。
【００３５】
まず、重力測定装置１００を船などに載せて海上を進み、重力測定を実施する地域まで海上を運び、重力測定装置１００を海面に降ろす。なお、重力測定装置１００は、スラスタ１０８を駆動することで海中を自律航行およびホバリング可能であり、重力測定装置１００の自重と浮力材１３と上述のバラストとの浮力バランスにより、スラスタ１０８を停止した状態では、海底で安定するように、マイナス浮力となるよう構成されている。なお、本発明はこれに限られるものではなく、中性浮力とし、着底時にはヒーブスラスタ５ｃにより下向きの推力を継続させるようにしてもよいし、例えば浮力調整装置（不図示）により浮力を調整してもよい。
【００３６】
その後、例えば、重力測定装置１００が海上にある場合は船上の操作者が不図示の端末装置等を操作して、無線ＬＡＮアンテナ１および無線ＬＡＮ通信装置１０３を介して重力測定装置１００の遠隔操作を行い、図５の処理の実行を指示する。これを受けた重力測定装置１００では、記憶装置１０２に予め記憶してあるプログラムが制御装置１０１で実行され、図５のフローチャートに示す処理が自動で実行される。また、重力測定装置１００が海中にある場合には音響測位通信装置１０４を介しての遠隔操作も可能である。
【００３７】
制御装置１０１は、センサ１０９による計測結果、検知結果に基づき、また、音響測位通信装置１０４による測位結果に基づき、また、カメラ１０６で撮影した海底画像を分析し、重力測定装置１００が海底付近まで潜航し、予め定めた着底エリアに到達するよう、スラスタ１０８を駆動する（ステップＳ−０、Ｓ−１）。着底エリアは、一つまたは複数を記憶装置１０２に予め記憶しておき、各着底エリアのうちの一を選択し、後述するようにそれぞれの着底エリアで順に重力の測定を行う。
【００３８】
続いて、重力測定装置１００が着底エリアに到達したならば、制御装置１０１は、レーザ８でライン状のレーザ光を海底に照射するとともに、そのレーザ光を照射した海底をカメラ１４で撮影し、その撮影画像を用いて、例えば光切断法により海底の三次元形状を取得する（ステップＳ−２）。なお、レーザ８およびカメラ１４の代わりにソーナーを設けた構成の場合には、このステップＳ−２では、ソーナーによって海底地形を計測し、ソーナーによる計測結果に基づいて三次元の海底形状を取得するようにしてもよい。
【００３９】
続いて、制御装置１０１では、ステップＳ−２で取得した海底の三次元形状を参照し、着底地点すなわち着底目標位置を決定する（ステップＳ−３）。この着底目標位置としては、海底のうち凹凸が少なく、且つ傾斜の小さい（できるだけ水平に近い角度の）重力測定装置１００が着底可能な位置を選択し、決定する。
【００４０】
着底目標位置を決定したならば、制御装置１０１では、スラスタ１０８を駆動し、重力測定装置１００をその着底目標位置に着底させる（ステップＳ−４）。例えば、重力測定装置１００は海底面に対して静止した状態でセンサ１０９の流速計により流向を計測し、流れに正対する方位を向く。その方位を維持したまま、例えばセンサ１０９のドップラ式対地速度計１２により海底からの高度と対地速度を計測しながら、ヒーブスラスタ５ｃの推力を下げることでまっすぐ降下し、そのまま着底する。着底完了したならば、スラスタ１０８（すなわちサージスラスタ５ａ、スウェイスラスタ５ｂ、ヒーブスラスタ５ｃの全てのスラスタ）を停止する。
【００４１】
その後、制御装置１０１では、センサ１０９の姿勢センサにより、一定時間（例えば、数秒から数分）重力測定装置１００の姿勢を監視し（ステップＳ−５）、姿勢の変動がない場合（ステップＳ−５：Ｙｅｓ）には、そのまま着底を継続し、重力計１１１による重力測定を実行する（ステップＳ−６）。測定結果は、記憶装置１０２や１１２に記憶される。
【００４２】
ステップＳ−５で姿勢の変動がある場合（ステップＳ−５：Ｎｏ）には、ステップＳ−１に戻り、着底目標位置の選定からやり直す。
【００４３】
ステップＳ−６で重力測定を終了したならば、記憶装置１０２に予め記憶してある全ての着底エリアでの重力測定が完了したかを判断し（ステップＳ−７）、完了していなければ（ステップＳ−７：Ｎｏ）、ステップＳ−１に戻り、新たな着底エリアでの重力測定を実施する。完了したならば（ステップＳ−７：Ｙｅｓ）、ステップＳ−８に進み、海面に浮上する。このとき、制御装置１０１では、スラスタを駆動するとともに、バラストリリーサ１１０によってバラストをリリースして浮力を上昇させプラス浮力とすることで、浮上速度を速めることができる。
【００４４】
図６は、図１に示した重力測定装置の動作の一例を説明する図である。この図６の例では、重力測定装置１００が、Ａ地点、Ｂ地点、Ｃ地点およびＤ地点で重力測定を行う場合を示している。
【００４５】
この例では、重力測定装置１００は、まずＡ地点で図５のステップＳ−１〜Ｓ−７の処理を実行し、続いてＢ地点で図５のステップＳ−１〜Ｓ−７の処理を実行し、続いてＣ地点で図５のステップＳ−１〜Ｓ−７の処理を実行し、続いてＤ地点で図５のステップＳ−１〜Ｓ−７の処理を実行し、最後に、閉塞測定として、Ａ地点（起点）に戻り、Ａ地点で図５のステップＳ−１〜Ｓ−７の処理を実行し、その後、図５のステップＳ−８の処理で海面に浮上する。
【００４６】
Ａ〜Ｄ地点での重力測定の結果を比較すると、ＡおよびＤ地点での重力よりも、ＢおよびＣ地点での重力が大きく、Ｂ地点からＣ地点に亘り周囲と比較して高密度な物質（例えば熱水鉱床等）が存在することが考えられる。
【００４７】
本実施形態によれば、海底の三次元形状を取得し、この海底の三次元形状に基づいて着底目標位置を決定することで、重力測定装置の安全且つ安定な着底を可能とし、海底での重力測定を可能とすることができる。
【００４８】
また本実施形態によれば、海底で重力測定を実施することができ、空中、海上、海中で測定する場合と比べて高い精度で重力を測定することができる。
【００４９】
また本実施形態によれば、記憶装置１０２に予め記憶してあるプログラムによって動作し、一連の重力測定処理を実行することができるので、例えば、海上の船と有線で繋いだ状態にする必要がなく、より深い海底での重力測定も可能である。
【００５０】
＜付記１＞
なお、本発明は、
１．
水中を自律航行およびホバリング可能であり、水底に着底して重力を測定する重力測定装置（例えば、重力測定装置１００）であって、
重力を測定する重力測定部（例えば、重力測定部１１４）と、
前記重力測定装置が水中移動可能なように推進力を発生する推進力発生部（例えば、スラスタ１０８）と、
水底にレーザ光を照射するレーザ（例えば、レーザ１０７）と、
前記レーザによりレーザ光を照射した水底を撮影するカメラ（例えば、カメラ１０６）と、
前記カメラにより撮影した画像に基づいて三次元の水底形状を取得する水底形状取得部（例えば、制御装置１０１）と、
前記水底形状取得部により取得した水底形状に基づいて前記重力測定装置の着底目標位置を決定する着底位置決定部（例えば、制御装置１０１）と、
前記着底位置決定部により決定した着底目標位置に到達するよう前記推進力発生部を制御し、前記重力測定装置を該着底目標位置に着底させる着底制御部（例えば、制御装置１０１）と、
前記重力測定装置の姿勢の変動を検出する姿勢センサ（例えば、センサ１０９に含まれる姿勢センサ）と、
を備えた、
ことを特徴とする重力測定装置、としたので、
・水底における重力測定を無人無索で安定して実行可能な重力測定装置を提供することができる。
【００５１】
また本発明は、
２．
水中を自律航行およびホバリング可能であり、水底に着底して重力を測定する重力測定装置であって、
重力を測定する重力測定部と、
前記重力測定装置が水中移動可能なように推進力を発生する推進力発生部と、
水底地形を計測するソーナーと、
前記ソーナーによる計測結果に基づいて三次元の水底形状を取得する水底形状取得部と、
前記水底形状取得部により取得した水底形状に基づいて前記重力測定装置の着底目標位置を決定する着底位置決定部と、
前記着底位置決定部により決定した着底目標位置に到達するよう前記推進力発生部を制御し、前記重力測定装置を該着底目標位置に着底させる着底制御部と、
前記重力測定装置の姿勢の変動を検出する姿勢センサと、
を備えた、
ことを特徴とする重力測定装置、としたので、
・水底における重力測定を無人無索で安定して実行可能な重力測定装置を提供することができる。
【００５２】
また本発明は、
３．
１．または２．に記載の重力測定装置において、
前記着底位置決定部は、前記重力測定装置が着底した状態で、前記姿勢センサにより検出した姿勢に変動がある場合、着底目標位置を変更し、新たな着底目標位置を決定する、
ことを特徴とする重力測定装置、とした。
【００５３】
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００５４】
１…無線ＬＡＮアンテナ、２…ＧＰＳアンテナ、３…送信アンテナ、４…受信アンテナ、５ａ…サージスラスタ、５ｂ…スウェイスラスタ、５ｃ…ヒーブスラスタ、６…メイン容器、７…バッテリ容器、８…レーザ、１０…球形容器、１１…スキッド、１２…ドップラ式対地速度計、１３…浮力材、１４…カメラ、１５…ＣＴＤ、１１０…バラストリリーサ
【図１】
2018036055.tif 000003
【図２】
2018036055.tif 000004
【図３】
2018036055.tif 000005
【図４】
2018036055.tif 000006
【図５】
2018036055.tif 000007
【図６】
2018036055.tif 000008